(57)【要約】【課題】  新品又は使用後の液晶表示器の表示画面の明るさを確認するための表示画面の照度検査を簡易に行うことができなかった。【解決手段】  照度を検査するための開口８の開けられた暗室１１を形成する筐体２と、筐体の外部から開口を塞ぐように開口に被せられた液晶表示器１０のバックライトで照明された画像の表示された表示画面１２の照度を検出するように暗室の内部で筐体に設置された照度検出器２１と、照度検出器で検出された照度値を筐体の外部で見えるように筐体の外部に設置されて表示する照度表示器２２と、液晶表示器の表示画面へのバックライトで照明された画像を表示するための電力と照度検出器に照度検出のための電力とを出力するために筐体の外部に設けられた電源装置２２ａ；３０と、電源装置から照度検出器への電力と液晶表示器への電力との供給と遮断とを操作するために筐体の外部に設けられた操作部２６；３２とを備えた。【選択図】図１
2006130047.tif 000002
【特許請求の範囲】
【請求項１】
照度を検査するための開口の開けられた暗室を形成する筐体と、筐体の外部から開口を塞ぐように開口に被せられた液晶表示器のバックライトで照明された画像の表示された表示画面の照度を検出するように暗室の内部で筐体に設置された照度検出器と、照度検出器で検出された照度値を筐体の外部で見えるように筐体の外部に設置されて表示する照度表示器と、液晶表示器の表示画面へのバックライトで照明された画像を表示するための電力と照度検出器に照度検出のための電力とを出力するために筐体の外部に設けられた電源装置と、電源装置から照度検出器への電力と液晶表示器への電力との供給と遮断とを操作するために筐体の外部に設けられた操作部とを備えたことを特徴とする液晶表示器の照度検査装置。
【請求項２】
筐体の開口が光を透過する特性の有る無色の保護板で塞がれたことを特徴とする請求項１に記載の液晶表示器の照度検査装置。
【請求項３】
筐体の外部には開口と表示画面とを位置決めする凹部が設けられたことを特徴とする請求項１又は請求項２に記載の液晶表示器の照度検査装置。
【請求項４】
照度検査装置が、照度を検査するための開口の開けられた暗室を形成する筐体と、筐体の外部から開口を塞ぐように開口に被せられた液晶表示器のバックライトで照明された画像の表示された表示画面の照度を検出するように暗室の内部で筐体に設置された照度検出器と、照度検出器で検出された照度値を筐体の外部で見えるように筐体の外部に設置されて表示する照度表示器と、液晶表示器の表示画面へのバックライトで照明された画像を表示するための電力と照度検出器に照度検出のための電力とを出力するために筐体の外部に設けられた電源装置と、電源装置から照度検出器への電力と液晶表示器への電力との供給と遮断とを操作するために筐体の外部に設けられた操作部とを備え、電源装置に検査対象としての液晶表示器を配線で接続するとともに操作部の操作で液晶表示器の表示画面にバックライトで照明された画像を表示させ、この液晶表示器の表示画面を暗室の開口を塞ぐように筐体の外部に配置し、操作部の操作で照度検出器を作動させることで液晶表示器の表示画面の照度を測定し、測定を終了した液晶表示器のうち、照度値の近いもの同士をグループ分けしたことを特徴とする液晶表示器の照度検査方法。
【請求項５】
１つの遊技店に出荷される複数の遊技機に照度値の近い液晶表示器を装着するためにグループ分けしたことを特徴とする請求項４に記載の液晶表示器の照度検査方法。
【発明の詳細な説明】
【技術分野】
【０００１】
本発明は、液晶表示器の表示画面の明るさを検査可能な照度検査装置及びこの照度検査装置を用いた照度検査方法に関する。
【背景技術】
【０００２】
液晶表示器を搭載したパチンコ機やスロットマシンなどの遊技機が知られている。
【特許文献１】特開平１０−２４４０５４号公報
【発明の開示】
【発明が解決しようとする課題】
【０００３】
従来、新品又は使用後の液晶表示器の表示画面の明るさを確認するための表示画面の照度検査を簡易に行うことができなかった。このため、表示画面の明るさの近似しているものを選別できず、１つの遊技店の１つの「島」と呼ばれる遊技機設置設備に複数の遊技機が並べて設置された場合、隣り合う遊技機の液晶表示器の表示画面の明るさが互いに異なってしまうようなことがあった。
【課題を解決するための手段】
【０００４】
本発明に係る液晶表示器の照度検査装置は、照度を検査するための開口の開けられた暗室を形成する筐体と、筐体の外部から開口を塞ぐように開口に被せられた液晶表示器のバックライトで照明された画像の表示された表示画面の照度を検出するように暗室の内部で筐体に設置された照度検出器と、照度検出器で検出された照度値を筐体の外部で見えるように筐体の外部に設置されて表示する照度表示器と、液晶表示器の表示画面へのバックライトで照明された画像を表示するための電力と照度検出器に照度検出のための電力とを出力するために筐体の外部に設けられた電源装置と、電源装置から照度検出器への電力と液晶表示器への電力との供給と遮断とを操作するために筐体の外部に設けられた操作部とを備えたことを特徴とする。筐体の開口が光を透過する特性の有る無色の保護板で塞がれたことや、筐体の外部には開口と表示画面とを位置決めする凹部が設けられたことも特徴とする。本発明の液晶表示器の照度検査方法は、上述の照度検査装置を用いて、電源装置に検査対象としての液晶表示器を配線で接続するとともに操作部の操作で液晶表示器の表示画面にバックライトで照明された画像を表示させ、この液晶表示器の表示画面を暗室の開口を塞ぐように筐体の外部に配置し、操作部の操作で照度検出器を作動させることで液晶表示器の表示画面の照度を測定し、測定を終了した液晶表示器のうち、照度値の近いもの同士をグループ分けしたことを特徴とする。１つの遊技店に出荷される複数の遊技機に照度値の近い液晶表示器を装着するためにグループ分けしたことも特徴とする。
【発明の効果】
【０００５】
本発明の照度検査装置によれば、液晶表示器の表示画面の照度を簡易に検査できることで、表示画面の明るさを知ることができる。筐体の開口が保護板で塞がれた構成により、暗室内へのほこり、塵などの進入を防止でき、照度検出器の誤動作、性能低下などの不具合を防止できる。無色の保護板を用いたことで適正な照度検査を行える。筐体の外部には開口と表示画面とを位置決めする凹部が設けられたことで、液晶表示器の検査のための位置決め作業を容易にでき、照度検査を効率的に正確に実施できる。測定を終了した液晶表示器のうち、照度値の近いもの同士をグループ分けしたことで、明るさの近い液晶表示器を選別でき、グループ分けされた複数の液晶表示器を１つの遊技店に出荷される複数の遊技機に装着でき、これにより、遊技店の１つの遊技機設置設備に並べて設置される複数の遊技機の液晶表示器の表示画面の明るさに顕著な違いが生じないようにできる。さらに、使用後の液晶表示器の効率的なリユースを可能とする。１つの遊技店に出荷される複数の遊技機に照度値の近い液晶表示器を装着するためにグループ分けしたことで、遊技店の１つの遊技機設置設備に並べて設置される複数の遊技機の液晶表示器の表示画面の明るさの違いを少なくできるようになり、隣り合う遊技機の液晶表示器の明るさの違いによる違和感を軽減できる。
【発明を実施するための最良の形態】
【０００６】
図１；図２は本発明の最良の形態であって、図１は液晶表示器の照度検査装置の外観を示し、図２は照度検査装置の断面を示す。
【０００７】
図１を参照し、本形態による液晶表示器の照度検査装置を説明する。照度検査装置１は、筐体２と照度計測装置３と検査制御装置４とを備える。筐体２は下板５と上板６とが組み合わされて形成される。上板６には上面６ａと下面６ｂとに貫通する貫通孔７が形成される。上板６の上面６ａには保護板収納部９を備える。保護板収納部９は貫通孔７の上端の開口８に連接して開口８の周囲を取り囲むような凹部により形成される。筐体２は、下板５の上面５ａと上板６の下面６ｂとを互いに接触させて、下板５と上板６とが互いに結合されることで形成される。下板５の上面５ａと貫通孔７とで暗室１１が形成される。貫通孔７の上端の開口８が液晶表示器１０の照度を検査するための暗室１１の開口となる。開口８の大きさは液晶表示器１０の表示画面１２の大きさと同じ大きさに形成される。下板５の上面５ａと上板６の下面６ｂとが互いに接触されたので、下板５の上面５ａと上板６の下面６ｂとの間から暗室１１内への光の進入を防止でき、適正な照度検査を行える。
【０００８】
図２に示すように、液晶表示器１０は、容器１３の中に制御装置１４と表示パネル１５と表示パネル１５を照射する図外のバックライトとを備える。表示画面１２は、容器１３の前面枠１６で囲まれた表示パネル１５の前面１７の周囲を除いた部分で形成される。保護板収納部９には、ガラス板、樹脂板などのような光を透過する特性の有る無色の保護板１８が収納されて開口８が塞がれる。無色の保護板１８を備えたことで、有色の保護板を用いる場合に比べて適正な照度検査を行える。開口８が保護板１８で塞がれたことで、暗室１１内へのほこり、塵などの進入を防止でき、照度検出器２１の誤動作、性能低下などの不具合を防止できる。保護板１８の上面１８ａの汚れや上面１８ａにほこりの溜まった場合などの掃除も容易である。上板６の上面６ａ及び保護板１８の上面１８ａにはフェルトのような衝撃吸収板２０が設けられる。衝撃吸収板２０には液晶表示器１０の前面枠１６の外周囲の大きさとほぼ同じ大きさで液晶表示器１０の表示画面１２側の入る孔２０ａが形成される。衝撃吸収板２０は、孔２０ａの中心と開口８の中心とを一致させて上板６の上面６ａ及び保護板１８の上面１８ａに固定される。従って、孔２０ａと孔２０ａの内側に位置する保護板１８の上面１８ａとで液晶表示器１０の表示画面１２の位置決めのための凹部１９が形成される。このように、筐体２の外部である上板６の上面６ａ側に、開口８と表示画面１２とを位置決めする凹部１９が設けられことで、液晶表示器１０の検査のための位置決め作業を容易にでき、かつ、照度検査を効率的に正確に実施できる。衝撃吸収板２０により、誤って液晶表示器１０を落とした場合など液晶表示器１０への衝撃を少なくできる。筐体２において、暗室１１及び保護板収納部９の内面には黒色の光乱反射防止膜１１ａが形成される。これにより、表示画面１２からの光の乱反射を防止でき、適正な照度検査を行える。
【０００９】
図１に戻って、照度計測装置３は照度検出器２１と照度表示器２２とを備える。照度検出器２１は、暗室１１の底を形成する筐体２の下板５の上面５ａに設置される。照度表示器２２は電池による電源装置２２ａを備えるとともに、照度値表示部２４と操作パネル部２５と電源スイッチの操作部２６とを備える。照度検出器２１と照度表示器２２とが電源供給用及び信号送受信用の配線２７及びコネクタ２７ａで接続される。人が、電源スイッチの操作部２６を「電源入」の状態に操作することで照度表示器２２の電源装置２２ａから照度表示器２２に照度表示のための電力が出力されるとともに照度表示器２２の電源装置２２ａから照度検出器２１に照度検出のための電力が出力され、電源スイッチの操作部２６を「電源切」の状態に操作することで照度表示器２２の電源装置２２ａから照度表示器２２及び照度検出器２１への電力供給が遮断される。配線２７は、上板６の側部に形成された配線通孔２８を経由して照度検出器２１と照度表示器２２とに接続される。照度表示器２２は、照度検出器２１で検出された照度値を筐体２の外部で見えるように筐体２の外部に設置される。検査制御装置４は、上板６の上面６ａに設けられて、電源装置３０と、検査ＲＯＭ搭載基板３１と、電源スイッチの操作部３２を備え、検査ＲＯＭに格納された検査プログラムの手順で液晶表示器１０の表示画面１２を制御する。電源装置３０は入力した交流電源を直流電源に変換して出力する交流−直流変換機能を備える。液晶表示器１０と検査制御装置４とが電源供給用及び信号送受信用の配線３３及びコネクタ３４で接続されている。人が、電源スイッチの操作部３２を「電源入」の状態に操作することで液晶表示器１０の表示画面１２へのバックライトで照明された画像を表示するための電力が電源装置３０から液晶表示器１０に供給され、電源スイッチの操作部３２を「電源切」の状態に操作することで電源装置３０から液晶表示器１０への電源供給が遮断される。筐体２の外面には検査制御装置４に信号線３５で接続された検査モード切替スイッチの操作部３６が設けられる。人が、液晶表示器１０を表示画面１２で開口８を塞ぐように凹部１９内に配置した後に照度検出器２１を作動させることで、液晶表示器１０のバックライトで照明された画像の表示された表示画面１２の照度を簡易に検査でき、照度表示器２２の照度値表示部２４に表示された照度値を確認して液晶表示器１０の表示画面１２の明るさを知ることができる。電源スイッチの操作部２６；３２が筐体２の外部に設けられるので、操作が容易である。
【００１０】
図示しないが、照度検査装置１の横に棚を設け、この棚に、液晶表示器１０のエージング（液晶表示器１０のバックライトの照度を安定させること）を実施するための図外の液晶表示器待機部を複数設ける。１つ１つの液晶表示器待機部には、図外の電源装置とストップウオッチとが設けられる。液晶表示器１０に直流電源を供給してから液晶表示器１０のバックライトの照度の安定するまでの時間（以下、「エージング時間」という）は経験則により決められる。例えば、照度検査に先立って予め複数の測定サンプルにより求めておく。
【００１１】
照度検査方法について説明する。まず、液晶表示器待機部に検査対象の液晶表示器１０を置いて図外の電源装置に接続して通電を行うとともに、ストップウオッチに「エージング時間」をセットする。そして、液晶表示器１０の検査に要する時間間隔で次以降の液晶表示器待機部に検査対象の液晶表示器１０を置いて電源装置に接続して通電を行って、ストップウオッチに「エージング時間」をセットしていく。液晶表示器待機部における液晶表示器１０の「エージング時間」が経過したならば、この液晶表示器１０と検査制御装置４とを配線で接続し、図２に示すように、液晶表示器１０の表示画面１２側を下に向けて凹部１９内に位置決めして保護板１８上に搭載し、液晶表示器１０に直流電源を供給するとともに照度検出器２１に電源を供給して照度測定を開始する。照度測定は、液晶表示器１０の表示画面１２に予め決められたテストパターン画面を表示させて測定する。この測定では、暗室１１及び保護板収納部９の内面に光乱反射防止膜１１ａを備えるので、暗室１１内での光の乱反射を防止でき、凹部１９により液晶表示器１０を所定の位置に正確に位置決めできて、液晶表示器１０で開口８を完全に塞いだ状態に簡単に設置できるため、筐体２の外部から暗室１１内への外乱光の入射も防止できる。よって、液晶表示器１０の表示画面１２からの光のみを照度検出器２１で検出できるために、液晶表示器１０の表示画面１２の照度を正確に測定できる。
【００１２】
照度測定を終了したら、液晶表示器１０を凹部１９より外して、表示画面１２を上に向ける。そして、検査モード切替スイッチの操作部３６を白色検査モードあるいはカラー検査モードの位置に設定する。白色検査モードの位置に設定された場合には、検査プログラムが液晶表示器１０の表示画面１２の色を白色に表示する。この白色に表示された表示画面１２を検査員が目視して黒点の有無を検査する。カラー検査モードの位置に設定された場合には、検査プログラムが表示画面１２の色をＲ；Ｇ；Ｂに設定する。このカラー検査モードでは、表示画面１２全体に、Ｒ；Ｇ；Ｂのうちの１色ずつ単色の画像を表示したり、Ｒ；Ｇ；Ｂを混ぜて形成される色の画像を表示する。このカラー検査モードで表示された画面を検査員が目視して色のにじみ、黒点の有無を検査する。白色検査モードで黒点が検出されたり、カラー検査モードで色のにじみや黒点の有無が検出された液晶表示器１０は不良品として振り分けられる。
【００１３】
１つの液晶表示器１０の検査を終了したら、次の液晶表示器待機部に置かれている液晶表示器１０はちょうど「エージング時間」が経過した状態となっており、「エージング時間」の経過を待つことなく当該液晶表示器１０の検査をすぐに実施できる。当該液晶表示器１０の検査を終了したら、三番目の表示装置待機部に置かれている液晶表示器１０はちょうど「エージング時間」が経過した状態となっており、「エージング時間」の経過を待つことなく当該液晶表示器１０の検査をすぐに実施できる。本形態では、液晶表示器１０の検査に要する時間間隔で複数の液晶表示器待機部に検査対象の液晶表示器１０を置いて電源装置に接続して通電を行って、ストップウオッチに「エージング時間」をセットしていくので、「エージング時間」の経過を待つことなく液晶表示器１０の検査の終了後に次の液晶表示器の検査をすぐに実施できるようになり、複数の液晶表示器１０の検査を効率的に行える。
【００１４】
照度測定の結果、照度値の近い液晶表示器１０同士をグループ分けする。例えば、照度値のばらつきが±５％以内のような照度値の近い液晶表示器１０同士を１つのグループに分ける。このようにグループ分けすることで、１つのグループに分類された照度値の近い複数の液晶表示器１０を１つの遊技店に出荷される遊技機に装着することが可能となり、照度値の近い液晶表示器１０を搭載した複数の遊技機を１つの遊技店に出荷できるようになるので、遊技店の１つの遊技機設置設備に並べて設置される複数の遊技機の液晶表示器１０の表示画面１２の明るさに顕著な違いが生じないようにできる。さらに、使用後の液晶表示器１０を効率的にリユース（再使用、リサイクル）に供することができる。また、１つの遊技店に出荷される複数の遊技機に照度値の近い液晶表示器１０を装着するために照度値の近い液晶表示器１０同士をグループ分けすることで、遊技店の１つの遊技機設置設備に並べて設置される複数の遊技機の液晶表示器１０の表示画面１２の明るさの違いを少なくできるようになり、隣り合う遊技機の液晶表示器１０の明るさの違いによる違和感を軽減できる。
【産業上の利用可能性】
【００１５】
本発明の照度検査装置及び検査方法は、スロットマシンに使用する液晶表示器の表示画面の照度検査にも使用できる。電池による電源装置２２ａを備える代わりに、検査制御装置４の電源装置３０や図外の電源アダプターと照度表示器２２の電源入力部とを電源配線で接続して照度表示器２２及び照度検出器２１に直流電源を供給するようにすれば、電池の交換手間を省ける。一方、最良の形態のように電池による電源装置２２ａを備えた照度表示器２２を用いれば、照度表示器２２と電源装置３０や電源アダプターとの電源配線接続作業を省け、手間を少なくできる。
【図面の簡単な説明】
【００１６】
【図１】液晶表示器の照度検査装置の外観を示す斜視図（最良の形態）。
【図２】照度検査装置の断面図（最良の形態）。
【符号の説明】
【００１７】
１  照度検査装置
２  筐体
３  照度計測装置
４  検査制御装置
８  開口
１０  液晶表示器
１１  暗室
１２  表示画面
１８  保護板
１９  凹部
２１  照度検出器
２２  照度表示器
２２ａ；３０  電源装置
２６；３２  電源スイッチの操作部（操作部）
【図１】
2006130047.tif 000003
【図２】
2006130047.tif 000004